(57)【要約】【課題】立体画像を良好に表示できる視差バリアを提供する。【解決手段】視差バリア５Ａは、複数の画素４Ｒ，４Ｌを有する表示手段４と組み合わせて用いられ、表示手段４にて表示された右目用画像及び左目用画像を分離する。この視差バリア５Ａは、光を通過させる複数の開口部５３、及び光を遮断する複数の遮光部５２が少なくとも一方向に交互に配置されたバリア基板５１を備える。複数の開口部５３は、表示手段４の画素ピッチに基づいて規定される理想値よりも大きく、かつ均等なピッチで配置されている。バリア基板５１は、開口部５３のピッチが平面的に見て小さくなるように湾曲されている。【選択図】図２
2011059297.tif 000002
【特許請求の範囲】
【請求項１】
複数の画素を有する表示手段と組み合わせて用いられ、前記表示手段にて表示された右目用画像及び左目用画像を分離する視差バリアであって、
光を通過させる複数の開口部、及び光を遮断する複数の遮光部が少なくとも一方向に交互に配置されたバリア基板を備え、
前記複数の開口部は、前記表示手段の画素ピッチに基づいて規定される理想値よりも大きく、かつ均等なピッチで配置され、
前記バリア基板は、
前記開口部のピッチが平面的に見て小さくなるように湾曲されている
ことを特徴とする視差バリア。
【請求項２】
光源装置と、複数の画素を有し、前記光源装置から出射された光束に基づいて右目用画像及び左目用画像を表示する表示手段とを備えた画像表示装置であって、
請求項１に記載の視差バリアを備える
ことを特徴とする画像表示装置。
【請求項３】
請求項２に記載の画像表示装置において、
前記視差バリアは、
前記表示手段の光出射側に配設され、
前記開口部のピッチは、
前記表示手段の画素ピッチの２倍に設定されている
ことを特徴とする画像表示装置。
【請求項４】
請求項２または請求項３に記載の画像表示装置において、
前記視差バリアは、
前記表示手段の光出射側において、前記光源装置から離間する側に凸となるように前記表示手段に取り付けられている
ことを特徴とする画像表示装置。
【請求項５】
請求項２に記載の画像表示装置において、
前記視差バリアは、
前記表示手段の光入射側において、前記光源装置に近接する側に凸となるように前記表示手段に取り付けられている
ことを特徴とする画像表示装置。
【請求項６】
請求項２から請求項５のいずれかに記載の画像表示装置を備えることを特徴とする遊技機。
【発明の詳細な説明】
【技術分野】
【０００１】
本発明は、視差バリア、画像表示装置、及び遊技機に関する。
【背景技術】
【０００２】
従来、観察者に立体画像を観察させるために、複数の画素を有する液晶パネル等の表示手段と組み合わせて用いられ、表示手段にて表示された右目用画像及び左目用画像を分離して、観察者の右目及び左目にそれぞれ入射させるパララックスバリア（視差バリア）が知られている。
このような視差バリアは、表示手段に対向して配置され、透光性を有する透光性基板上に光を遮断する遮光部及び光を透過する開口部がパターン形成されることで、遮光部及び開口部が表示手段の各画素の配列に対応して少なくとも一方向に交互に配置された構成を有する。
【０００３】
そして、視差バリアの各開口部のピッチは、表示手段の画素ピッチ（各画素の間隔）や観察者の眼間距離（両目間の距離）に基づいて規定される理想値であることが好ましい。
しかしながら、透光性基板上に遮光部及び開口部をパターン形成する際、現状のパターン形成法では、1μｍ程度の単位でしか制御することができず、開口部のピッチを理想値にすることはできない。
そこで、従来では、開口部のピッチを、現状のパターン形成法で形成可能な複数種類のピッチが混在するように形成し、複数種類のピッチの平均値を理想値とする技術が提案されている（例えば、特許文献１参照）。
【先行技術文献】
【特許文献】
【０００４】
【特許文献１】特開平８−３６１４５号公報
【発明の概要】
【発明が解決しようとする課題】
【０００５】
しかしながら、複数種類のピッチで開口部を形成した場合には、開口部毎に観察者が開口部を介して視認可能な画素の範囲は、異なるものとなる。
すなわち、通常、表示手段を構成する複数の画素は、互いの画素同士を仕切るためにブラックマトリクスと呼ばれる遮光パターンが形成されているため、ブラックマトリクスが一部の開口部を介して観察者の目に観察されてしまう。
そして、複数種類のピッチで開口部を形成した場合には、ブラックマトリクスの占める割合が多い開口部と少ない開口部とで明暗の差が大きく発生するため、スジ状の干渉縞（モアレ）が観察者に視認されることとなる。
以上のように従来の技術では、立体画像にモアレが発生することとなり、立体画像の画質が劣化してしまう、という問題がある。
また、ブラックマトリクスを視認できないように、開口部の面積を小さく形成することも考えられるが、このように形成した場合には、光が通過する領域が小さくなることから、立体画像の明るさが小さくなってしまい、結果として、立体画像を良好に表示できない、という問題がある。
【０００６】
本発明の目的は、立体画像を良好に表示できる視差バリア、画像表示装置、及び遊技機を提供することにある。
【課題を解決するための手段】
【０００７】
本発明の視差バリアは、複数の画素を有する表示手段と組み合わせて用いられ、前記表示手段にて表示された右目用画像及び左目用画像を分離する視差バリアであって、光を通過させる複数の開口部、及び光を遮断する複数の遮光部が少なくとも一方向に交互に配置されたバリア基板を備え、前記複数の開口部は、前記表示手段の画素ピッチに基づいて規定される理想値よりも大きく、かつ均等なピッチで配置され、前記バリア基板は、前記開口部のピッチが平面的に見て小さくなるように湾曲されていることを特徴とする。
【０００８】
本発明は、開口部のピッチが表示手段の画素ピッチに基づいて設定される理想値よりも大きく、かつ均等なピッチとなるようにバリア基板を形成しておき、バリア基板を湾曲させることで、開口部のピッチを平面的に見て小さくし、理想値に近付けるものである。
すなわち、上述したバリア基板であれば、1μｍ程度の単位でしか制御できない現状のパターン形成法でも開口部のピッチが上述したピッチとなるように十分に形成できる。
また、バリア基板を湾曲させることで開口部のピッチが理想値に近付くため、全ての開口部において、表示手段のブラックマトリクスを視認できる割合を略一致させることができる。すなわち、ブラックマトリクスによる各開口部の明暗の差を小さくでき、立体画像にモアレが発生することを抑制できる。
さらに、開口部の面積を必要以上に小さくすることなく、モアレの発生を抑制できるため、立体画像の明るさを十分に維持できる。
したがって、本発明の視差バリアを用いれば、立体画像を良好に表示できる。
【０００９】
本発明の画像表示装置は、光源装置と、複数の画素を有し、前記光源装置から出射された光束に基づいて右目用画像及び左目用画像を表示する表示手段とを備えた画像表示装置であって、上述した視差バリアを備えることを特徴とする。
本発明では、画像表示装置は、上述した視差バリアを備えるので、上述した視差バリアと同様の作用及び効果を享受できる。
【００１０】
本発明の画像表示装置では、前記視差バリアは、前記表示手段の光出射側に配設され、前記開口部のピッチは、前記表示手段の画素ピッチの２倍に設定されていることが好ましい。
ところで、視差バリアを表示手段の光出射側に配設する構成では、開口部のピッチの理想値は、画素ピッチの２倍の値よりも小さいものである。
本発明では、開口部のピッチは、画素ピッチの２倍に設定され、すなわち、理想値よりも大きく形成されている。
例えば、表示手段として、XGAの液晶パネルを採用した場合、画素ピッチは、0.08ｍｍ程度、すなわち、10μｍ単位で設定されている。このため、開口部のピッチが画素ピッチの２倍であれば、1μｍ程度の単位でしか制御できない現状のパターン形成法でも視差バリアを十分に形成できる。
また、開口部のピッチを画素ピッチの２倍に設定すれば、バリア基板を湾曲させて開口部のピッチを平面的に見て理想値に略一致させる際、湾曲させる曲率を極めて緩やかな（曲率が小さな）ものとすることができ、視差バリアを容易に製造できる。
【００１１】
本発明の画像表示装置では、前記視差バリアは、前記表示手段の光出射側において、前記光源装置から離間する側に凸となるように前記表示手段に取り付けられていることが好ましい。
本発明では、視差バリアが上述したように表示手段に取り付けられているため、例えば、表示手段の光出射側において、光源に近接する側に凸となるように視差バリアを表示手段に取り付ける構成と比較して、表示手段に対して視差バリアを容易に取り付けることができる。
【００１２】
本発明の画像表示装置では、前記視差バリアは、前記表示手段の光入射側において、前記光源装置に近接する側に凸となるように前記表示手段に取り付けられていることが好ましい。
本発明では、視差バリアが上述したように表示手段に取り付けられているため、例えば、表示手段の光入射側において、光源から離間する側に凸となるように視差バリアを表示手段に取り付ける構成と比較して、表示手段に対して視差バリアを容易に取り付けることができる。
【００１３】
本発明の遊技機は、上述した画像表示装置を備えることを特徴とする。
本発明では、遊技機は、上述した画像表示装置を備えるので、上述した画像表示装置と同様の作用及び効果を享受できる。
【図面の簡単な説明】
【００１４】
【図１】第１実施形態における遊技機を示す斜視図。
【図２】第１実施形態における画像表示装置の構成を模式的に示す断面図。
【図３】第１実施形態における液晶パネルの画素の配列状態を平面的に見た模式図。
【図４】第１実施形態における縦ストライプバリアの開口部の配列状態を平面的に見た模式図。
【図５】第１実施形態における縦ストライプバリアの製造方法を説明するための図。
【図６】第１実施形態における縦ストライプバリアの製造方法を説明するための図。
【図７】第２実施形態における画像表示装置の構成を模式的に示す断面図。
【図８】第３実施形態における液晶パネルの画素の配列状態を平面的に見た模式図。
【図９】第３実施形態におけるステップバリアの開口部の配列状態を平面的に見た模式図。
【発明を実施するための形態】
【００１５】
[第１実施形態]
以下、本発明の第１実施形態を図面に基づいて説明する。
〔遊技機の概略構成〕
図１は、第１実施形態における遊技機１を示す斜視図である。
遊技機１は、図１に示すように、パチンコ機として構成され、ハンドル１Ａの操作に応じて射出装置（図示略）により射出された遊技球が遊技盤１Ｂの盤面上を落下しつつ移動して、所定の入賞口に入賞した場合に所定数の遊技球を払い出すものである。
遊技盤１Ｂの表面には、略円形状の側壁１Ｃによって囲まれた遊技領域１Ｄが形成されている。そして、遊技領域１Ｄの略中央には、略横長長方形状の開口部１Ｅを介して、画像表示装置２が配置されている。
【００１６】
〔画像表示装置の構成〕
図２は、画像表示装置２の構成を模式的に示す断面図である。具体的に、図２は、液晶パネル４や縦ストライプバリア５Ａの列方向（垂直方向：図３、図４中、上下方向）から見た断面図である。
画像表示装置２は、遊技球の入賞による抽選結果等に応じたコマンドの入力を受け、該コマンドに応じた画像を表示する。具体的に、画像表示装置２は、観察者の右目により観察される画像（右目用画像）と、左目により観察される画像（左目用画像）とを含む立体画像を生成し、右目用画像及び左目用画像をそれぞれ右目及び左目に入射させて、視差により立体視可能な立体画像を表示する。本実施形態では、画像表示装置２は、視点数が２の２眼式立体表示装置として構成されている。
このような画像表示装置２は、図２に示すように、光源装置としてのバックライト３と、表示手段としての液晶パネル４と、視差バリアとしての縦ストライプバリア５Ａと、支持部材６とを備える。
【００１７】
バックライト３は、略Ｗ字状に曲折された冷陰極管と、当該冷陰極管の背面側に設けられるリフレクターとを備え、冷陰極管に電圧印加して生じた放電光を、リフレクターで反射して液晶パネル４側に出射する。なお、バックライト３は、このような構成に限らず、Ｌ字状またはＵ字状のエッジタイプの冷陰極管と導光板との組み合わせや、冷陰極管及びリフレクターに代えて、複数のＬＥＤ(Light Emitting Diode)等の固体光源が複数配設された構成を有していてもよい。
【００１８】
図３は、液晶パネル４の画素４Ｒ，４Ｌの配列状態を平面的に見た模式図である。
なお、図２及び図３では、説明の便宜上、画素４Ｒ内に「Ｒ」の文字を付し、画素４Ｌ内に「Ｌ」の文字を付している。以下の図も同様である。
また、図２及び図３では、説明を簡略化するために、液晶パネル４として、各画素４Ｒ，４Ｌが４行×１０列に配設された構成を示している。
液晶パネル４は、固定画素型の画像形成デバイスであり、図２または図３に示すように、右目用画像を表示する複数の右目用画素４Ｒと、左目用画像を表示する複数の左目用画素４Ｌとを備え、各画素４Ｒ，４ＬがブラックマトリクスＢＬにより仕切られている。
これら右目用画素４Ｒ及び左目用画素４Ｌは、図３に示すように、列方向に同一の画素（右目用画素４Ｒあるいは左目用画素４Ｌ）となり、行方向（水平方向：図３中、左右方向）に交互に配列されている。
そして、これら各画素４Ｒ，４Ｌは、具体的な図示は省略したが、それぞれＲ（赤）、Ｇ（緑）及びＢ（青）のカラーフィルターが光束出射側に配設されたサブピクセルにより構成されている。また、各画素４Ｒ，４Ｌは、一対の透明基板間に密閉封入された液晶に電圧を印加するＴＦＴ(Thin Filmed Transistor)をスイッチング素子として備え、ＴＦＴのスイッチングにより、各画素４Ｒ，４Ｌに画像信号として印加される電圧が変化して液晶の配向状態が変化されることで、入射光束が画像信号に応じて変調される。
【００１９】
図４は、縦ストライプバリア５Ａの開口部５３の配列状態を平面的に見た模式図である。
縦ストライプバリア５Ａは、液晶パネル４の光束出射側（観察者側）に配設され（図２）、表示される立体画像のうち、右目用画像と左目用画像とを分離する機能を有し、観察者の両目に、それぞれの画像を個別に入射させる。
この縦ストライプバリア５Ａは、図２に示すように、液晶パネル４を介した光を透過するバリア基板としての透光性基板５１と、遮光部５２とを備える。
遮光部５２は、光を遮断する材料から構成され、透光性基板５１上に形成されている。そして、遮光部５２は、図４に示すように、液晶パネル４の各画素４Ｒ，４Ｌの配列に対応して、列方向（図４中、上下方向）に開口部５３が伸び、行方向（図４中、左右方向）に開口部５３が所定の均等なピッチで配置されるように形成されている。
ここで、各開口部５３は、全て同一の形状を有しているものである。
【００２０】
そして、観察者は、上述した縦ストライプバリア５Ａにより、以下に示すように、立体画像を認識する。
すなわち、左目用画素４Ｌから出射された光は、図２に示すように、遮光部５２により観察者の右目ＥＲに入射することが規制され、開口部５３を介して観察者の左目ＥＬのみに入射する。
また、右目用画素４Ｒから出射された光は、図２に示すように、遮光部５２により観察者の左目ＥＬに入射することが規制され、開口部５３を介して観察者の右目ＥＲのみに入射する。
そして、観察者は、右目用画像及び左目用画像の視差により、立体画像を認識する。
なお、縦ストライプバリア５Ａの製造方法については、後述する。
【００２１】
支持部材６は、具体的には後述するが、縦ストライプバリア５Ａを湾曲した状態で液晶パネル４に取り付けるための部材である。
この支持部材６は、図２に示すように、液晶パネル４の光出射側の端面（光出射側に配置される前記透明基板の端面）における左右方向略中央部分から突出する微小突起で構成されている。そして、支持部材６は、上下両端部分にそれぞれ形成されている。
なお、液晶パネル４に対する縦ストライプバリア５Ａの取り付け方法については、縦ストライプバリア５Ａの製造方法を説明する際に同時に説明する。
【００２２】
〔縦ストライプバリアの製造方法〕
図５及び図６は、縦ストライプバリア５Ａの製造方法を説明するための図である。具体的に、図５及び図６は、各開口部５３のピッチが理想値となる理論上の縦ストライプバリア５Ａ´（図５（Ａ）、図６（Ａ））と本実施形態で製造した縦ストライプバリア５Ａ（図５（Ｂ）、図６（Ｂ））とを平面視で比較した模式図である。そして、図５（Ｂ）は縦ストライプバリア５Ａを湾曲させていない状態を示し、図６（Ｂ）は縦ストライプバリア５Ａを湾曲させた状態を示している。
上述した縦ストライプバリア５Ａは、例えば、以下に示すように製造される。
なお、以下では、説明の便宜上、以下の液晶パネルを採用した場合での縦ストライプバリア５Ａの製造方法を例示する。
液晶パネル４：XGAパネル12型（対角約31ｃｍ）
行方向（水平方向）の画素ピッチＰｈ（図３）：0.08ｍｍ
行方向の画面幅：画素ピッチＰｈ×3(RGBサブピクセル)×1024＝245.76ｍｍ
【００２３】
先ず、透光性基板５１として、湾曲させることが可能な材料を採用する。
例えば、透光性基板５１としては、ガラスや、プロピレンまたはビニロン系透明樹脂等の材料、0.1〜0.2ｍｍ程度の厚みの透光性基板を採用できる。
そして、透光性基板５１上に、パターン形成法（レーザーエッチング、ドライエッチング、ウェットエッチング、あるいは、フォトリソグラフィー法等）により、遮光部５２及び開口部５３を形成する。
【００２４】
具体的に、本実施形態では、開口部５３及び遮光部５２の幅、開口部５３の行方向のピッチＢｈ（以下、バリア開口ピッチＢｈと記載）が以下の数値となるように形成する。
開口部５３の幅：0.06ｍｍ
遮光部５２の幅：0.10ｍｍ
バリア開口ピッチＢｈ：0.16ｍｍ
すなわち、本実施形態では、バリア開口ピッチＢｈ（0.16ｍｍ）を画素ピッチＰｈ（0.08ｍｍ）の２倍である２Ｐｈになるように形成している。
【００２５】
なお、開口部５３の行方向のピッチの理想値Ｂｈ´は、眼間距離をＥとした場合に、以下の式（１）で表される。
【００２６】
〔数１〕
2011059297.tif 000003
【００２７】
すなわち、本実施形態では、図５に示すように、バリア開口ピッチＢｈ（２Ｐｈ）が式（１）で表される理想値Ｂｈ´よりも大きくなるように形成されている。
例えば、理想値Ｂｈ´は、眼間距離Ｅが65ｍｍとすると、式（１）により、0.159803・・・ｍｍとなる。
ここで、現状のパターン形成法（レーザーエッチング、ドライエッチング、ウェットエッチング、あるいは、フォトリソグラフィー法等）では、遮光部５２及び開口部５３を形成する際に1μｍ程度の単位でしか制御することはできない。
すなわち、現状のパターン形成法では、0.159ｍｍあるいは0.160ｍｍでバリア開口ピッチＢｈを形成することはできるが、上述した理想値Ｂｈ´でバリア開口ピッチＢｈを形成することはできない。
そして、本実施形態では、上述したように、バリア開口ピッチＢｈが２Ｐｈ（0.16ｍｍ）となるように形成しているため、現状のパターン形成法でも十分に形成できるものである。
【００２８】
また、通常、画素４Ｒ，４Ｌのサイズ（行方向の長さ×列方向の長さ）は、画素ピッチＰｈよりも小さい。
そして、本実施形態では、上述したように、開口部５３の幅(0.06ｍｍ)を、画素ピッチＰｈ(0.08ｍｍ）の75%の値とすることで、画素４Ｒ，４Ｌの行方向の長さよりも小さいものとしている。
【００２９】
次に、上述したように形成した縦ストライプバリア５Ａを以下に示すように湾曲させ、液晶パネル４に取り付ける。
先ず、液晶パネル４の光出射側の端面において、縦ストライプバリア５Ａを支持部材６の先端に当接させた状態で、縦ストライプバリア５Ａの左右両端部分を液晶パネル４の光出射側の端面に当接させる。すなわち、縦ストライプバリア５Ａは、液晶パネル４の光出射側の端面において、光出射側（バックライト３から離間する側）に凸となる状態で配置される。
そして、縦ストライプバリア５Ａは、該縦ストライプバリア５Ａと液晶パネル４の光出射側の端面との間に透光性を有する接着剤が充填されることで液晶パネル４に固定される。
以上のように縦ストライプバリア５Ａを湾曲させた状態では、平面的に見たバリア開口ピッチＢｈＡは、図６に示すように、バリア開口ピッチＢｈ（２Ｐｈ）よりも小さくなり、理想値Ｂｈ´に一致することとなる。
【００３０】
例えば、縦ストライプバリア５Ａを湾曲させる際の曲率を表す曲率半径ｒ及び扇角２θは、以下の値となる。
先ず、縦ストライプバリア５Ａを湾曲させた際の円弧長は、縦ストライプバリア５Ａの行方向の幅と同一である。また、縦ストライプバリア５Ａを湾曲させた際の弦長は、理論上の縦ストライプバリア５Ａ´の行方向の幅と同一である。
ここで、理論上の縦ストライプバリア５Ａ´の行方向の幅（弦長）は、開口部５３のピッチ数をｎとした場合に、ｎ×Ｂｈ´で与えられる。
また、ピッチ数ｎは、液晶パネル４の行方向の幅(245.76ｍｍ)をカバーする必要があるため、245.76／Ｂｈ´≒1538である。
このため、理論上の縦ストライプバリア５Ａ´の行方向の幅（弦長）は、1538×Ｂｈ´＝245.777504・・・ｍｍである。
【００３１】
また、縦ストライプバリア５Ａの行方向の幅（円弧長）は、ｎ×Ｂｈで与えられる。
このため、縦ストライプバリア５Ａの行方向の幅（円弧長）は、1538×Ｂｈ＝246.08ｍｍである。
したがって、上述した円弧長及び弦長の値（円弧長＝246.08ｍｍ、弦長＝245.777504・・・ｍｍ）から以下の式（２）、（３）を解くことで、ｒ≒1432ｍｍ、２θ＝0.1718radとなる。
そして、縦ストライプバリア５Ａは、曲率半径1432ｍｍ及び扇角0.1718radで湾曲されている。
【００３２】
〔数２〕
円弧長＝ｒ・２・θ・・・（２）
【００３３】
〔数３〕
弦長＝２・ｒ・sinθ・・・（３）
【００３４】
上述した第１実施形態によれば、以下の効果がある。
本実施形態では、バリア開口ピッチＢｈが理想値Ｂｈ´よりも大きく、かつ均等なピッチとなるように縦ストライプバリア５Ａを形成しておき、縦ストライプバリア５Ａを湾曲させることで、バリア開口ピッチＢｈを平面的に見て小さくし（バリア開口ピッチＢｈＡ）、理想値Ｂｈ´に近付けるものである。
すなわち、上述した縦ストライプバリア５Ａであれば、1μｍ程度の単位でしか制御できない現状のパターン形成法でもバリア開口ピッチＢｈが上述したピッチとなるように十分に形成できる。
また、縦ストライプバリア５Ａを湾曲させることで平面的に見たバリア開口ピッチＢｈＡが理想値Ｂｈ´に近付くため、全ての開口部５３において、液晶パネル４のブラックマトリクスＢＬを視認できる割合を略一致させることができる。すなわち、ブラックマトリクスＢＬによる各開口部５３の明暗の差を小さくでき、立体画像にモアレが発生することを抑制できる。
さらに、開口部５３の面積を必要以上に小さくすることなく、モアレの発生を抑制できるため、立体画像の明るさを十分に維持できる。
【００３５】
また、バリア開口ピッチＢｈは、画素ピッチＰｈの２倍である例えば液晶パネル４としてXGAパネルを採用した場合には0.16ｍｍに設定されているので、現状のパターン形成法でも縦ストライプバリア５Ａを十分に形成できる。
さらに、バリア開口ピッチＢｈを画素ピッチＰｈの２倍に設定すれば、縦ストライプバリア５Ａを湾曲させてバリア開口ピッチＢｈを平面的に見て理想値Ｂｈ´に略一致させる際、湾曲させる曲率（曲率半径ｒ、扇角２θ）を極めて緩やかな（曲率が小さな）ものとすることができ、縦ストライプバリア５Ａを容易に製造できる。
【００３６】
また、縦ストライプバリア５Ａが液晶パネル４の光出射側においてバックライト３から離間する側に凸となるように液晶パネル４に取り付けられているため、例えば、液晶パネル４の光出射側において、バックライト３に近接する側に凸となるように縦ストライプバリア５Ａを液晶パネル４に取り付ける構成と比較して、液晶パネル４に対して縦ストライプバリア５Ａを容易に取り付けることができる。
【００３７】
[第２実施形態]
次に、本発明の第２実施形態を図面に基づいて説明する。
以下の説明では、前記第１実施形態と同様の構造及び同一部材には同一符号を付して、その詳細な説明は省略または簡略化する。
図７は、第２実施形態における画像表示装置２の構成を模式的に示す断面図である。
本実施形態では、前記第１実施形態に対して、縦ストライプバリア５Ａの製造方法が異なるとともに、図７に示すように、縦ストライプバリア５Ａを液晶パネル４の光入射側に配設している。また、本実施形態では、支持部材６は、図７に示すように、液晶パネル４の光入射側の端面における左右方向略中央部分から突出するように形成されている。
その他の構成は、前記第１実施形態と同様のものである。
【００３８】
具体的に、本実施形態において、縦ストライプバリア５Ａは、例えば、以下に示すように製造される。
ここで、縦ストライプバリア５Ａを液晶パネル４の光入射側に配置した場合での各開口部５３の行方向のピッチの理想値Ｂｈ´は、以下の式（４）に示すように、前記第１実施形態と異なる値となる。
【００３９】
〔数４〕
2011059297.tif 000004
【００４０】
例えば、理想値Ｂｈ´は、眼間距離Ｅが65ｍｍとすると、式（４）により、0.160197・・・ｍｍとなる。
そして、本実施形態では、透光性基板５１上にパターン形成法により遮光部５２及び開口部５３を形成する際、バリア開口ピッチＢｈが現状のパターン形成法でも十分に形成できる例えば0.161ｍｍとなるように、すなわち、バリア開口ピッチＢｈが理想値Ｂｈ´よりも大きくなるように形成している。
【００４１】
次に、上述したように形成した縦ストライプバリア５Ａを、前記第１実施形態とは逆に、液晶パネル４の光入射側の端面において、光入射側（バックライト３側）に凸となる状態で配置し固定する。
以上のように縦ストライプバリア５Ａを湾曲させた状態では、前記第１実施形態と同様に、平面的に見たバリア開口ピッチＢｈＡは、バリア開口ピッチＢｈよりも小さくなり、理想値Ｂｈ´に一致することとなる。
上述した第２実施形態によれば、前記第１実施形態と同様の作用及び効果を享受できる。
【００４２】
[第３実施形態]
次に、本発明の第３実施形態を図面に基づいて説明する。
以下の説明では、前記第１実施形態と同様の構造及び同一部材には同一符号を付して、その詳細な説明は省略または簡略化する。
図８は、第３実施形態における液晶パネル４の画素４Ｒ，４Ｌの配列状態を平面的に見た模式図である。
図９は、第３実施形態におけるステップバリア５Ｂの開口部５３の配列状態を平面的に見た模式図である。なお、図９では、ステップバリア５Ｂを湾曲させていない状態を示している。
本実施形態は、前記第１実施形態に対して、図８または図９に示すように、液晶パネル４の各画素４Ｒ，４Ｌの配列状態、及び視差バリアとしてステップバリア５Ｂを採用した点が異なるのみである。
その他の構成は、前記第１実施形態と同様のものである。
【００４３】
具体的に、液晶パネル４において、右目用画素４Ｒ及び左目用画素４Ｌは、図８に示すように、全ての行方向（水平方向：図８中、左右方向）及び全ての列方向（垂直方向：図８中、上下方向）において交互に配列されている。
また、ステップバリア５Ｂは、前記第１実施形態で説明した縦ストライプバリア５Ａに対して、遮光部５２及び開口部５３の配列状態が異なる。
具体的に、ステップバリア５Ｂは、図９に示すように、透光性基板５１上に遮光部５２及び開口部５３がパターン形成されることで、液晶パネル４の各画素４Ｒ，４Ｌの配列に対応して、行方向（水平方向：図９中、左右方向）に１列おきに矩形状の開口部５３が配置され、かつ、列方向（垂直方向：図９中、上下方向）に１行おきに開口部５３が配置されるように形成されている。すなわち、各開口部５３は、千鳥状に配置されている。
【００４４】
そして、観察者は、前記第１実施形態と同様に、ステップバリア５Ｂにより、左目用画素４Ｌから出射された光を左目ＥＬにて観察し、右目用画素４Ｒから出射された光を右目ＥＲにて観察し、右目用画像及び左目用画像の視差により、立体画像を認識する。
なお、ステップバリア５Ｂの製造方法については、上述した遮光部５２の形状が異なる以外は、前記第１実施形態と同様であるため、説明を省略する。
上述した第３実施形態によれば、前記第１実施形態と同様の作用及び効果を享受できる。
【００４５】
なお、本発明は前述の実施形態に限定されるものではなく、本発明の目的を達成できる範囲での変形、改良等は本発明に含まれるものである。
前記各実施形態では、縦ストライプバリア５Ａ及びステップバリア５Ｂは、透光性基板５１上に遮光部５２及び開口部５３をパターン形成していたが、これに限らず、光を吸収する黒色の樹脂基板に複数の開口部５３を形成した構成としても構わない。
前記各実施形態において、バリア開口ピッチＢｈは、前記各実施形態で説明した値（例えば、前記第１実施形態及び前記第３実施形態では２Ｐｈ）に限らず、理想値Ｂｈ´よりも大きければ、その他の値としても構わない。
【００４６】
前記第１実施形態及び前記第３実施形態において、視差バリア５Ａ，５Ｂを、液晶パネル４の光出射側の端面において、前記第１実施形態及び前記第３実施形態で説明した方向と逆に、光入射側（バックライト３に近接する側）に凸となる状態で配置しても構わない。前記第２実施形態も同様である。
前記第２実施形態では、視差バリアを縦ストライプバリア５Ａで構成していたが、これに限らず、前記第３実施形態で説明したステップバリア５Ｂで構成しても構わない。この際には、液晶パネル４の各画素４Ｒ，４Ｌの配列も前記第３実施形態で説明した配列とする。
【００４７】
前記各実施形態において、視差バリア５Ａ，５Ｂを湾曲させる際、微小突起で構成された支持部材６を利用していたが、これに限らない。
例えば、液晶パネル４の端面を予め視差バリア５Ａ，５Ｂの湾曲時の曲率に対応した曲率を有する曲面で構成しておき、該曲面に視差バリア５Ａ，５Ｂが倣うように固定させる構成としても構わない。
また、前記各実施形態では、視差バリア５Ａ，５Ｂを液晶パネル４に取り付けていたが、これに限らず、液晶パネル４から所定間隔、離間させ、液晶パネル４から独立した状態で配設しても構わない。
【００４８】
前記各実施形態では、液晶パネル４を備える画像表示装置２を挙げたが、本発明はこれに限らない。すなわち、バックライト３及び液晶パネル４に代えて、有機ＥＬ（Electro-Luminescence）やプラズマ等の自己発光素子を有するパネルを採用してもよく、また、ＣＲＴ（Cathode Ray Tube）を採用することも可能である。
【００４９】
前記各実施形態では、本発明の画像表示装置２をパチンコ機として構成された遊技機１に採用した例を挙げたが、本発明はこれに限らない。すなわち、画像表示装置２は、パチスロ機等の他の遊技機に採用することもできる。また、画像表示装置２は、単体で使用することも可能であるほか、自動車のコンソールパネルや、ビデオゲーム機等に採用することも可能である。
【産業上の利用可能性】
【００５０】
本発明は、複数の画素を有する表示手段と組み合わせて用いられ、表示手段にて表示された右目用画像及び左目用画像を分離する視差バリアに利用できる。
【符号の説明】
【００５１】
１・・・遊技機、２・・・画像表示装置、３・・・バックライト（光源装置）、４・・・液晶パネル（表示手段）、５Ａ・・・縦ストライプバリア（視差バリア）、５Ｂ・・・ステップバリア（視差バリア）、５１・・・透光性基板（バリア基板）、５２・・・遮光部、５３・・・開口部。
【図１】
2011059297.tif 000005
【図２】
2011059297.tif 000006
【図３】
2011059297.tif 000007
【図４】
2011059297.tif 000008
【図５】
2011059297.tif 000009
【図６】
2011059297.tif 000010
【図７】
2011059297.tif 000011
【図８】
2011059297.tif 000012
【図９】
2011059297.tif 000013